(57)【要約】【課題】ネットワーク上の最適のサーバを選択して良好な通信状況でコンテンツデータを取得する通信装置を提供する。【解決手段】ネットワーク上の複数のサーバ機器からコンテンツデータのリスト情報を収集する通信部と、通信部が収集したコンテンツデータのリスト情報を、コンテンツデータを格納する複数のサーバ機器の性能情報と合わせて表示する表示部と、コンテンツデータのリスト情報中の一のコンテンツデータと一のサーバ機器を指定する操作信号を出力する操作部と、操作信号に応じて指定されたコンテンツデータを指定されたサーバ機器から通信部を介して取得する制御部をもつ通信装置。【選択図】図１
2008005236.tif 000002
【特許請求の範囲】
【請求項１】
ネットワーク上の複数のサーバ機器からコンテンツデータのリスト情報を収集する通信部と、
前記通信部が収集したコンテンツデータのリスト情報を、コンテンツデータを格納する複数のサーバ機器の性能情報と合わせて表示する表示部と、
前記コンテンツデータのリスト情報中の一のコンテンツデータと一のサーバ機器を指定する操作信号を出力する操作部と、
前記操作信号に応じて、指定されたコンテンツデータを、指定されたサーバ機器から前記通信部を介して取得する制御部を具備することを特徴とする通信装置。
【請求項２】
前記サーバ機器の性能情報は、使用するネットワーク種別、通信状況、現在処理中のタスク、処理予定のタスク、通信性能、ＣＰＵの性能、バッファメモリの容量の中の一以上を含むことを特徴とする請求項１記載の通信装置。
【請求項３】
前記操作部は、前記表示部が前記コンテンツデータのリスト情報を表示した後に、一のコンテンツデータを指定する操作信号を出力し、その後、前記表示部が前記指定されたコンテンツデータを格納する複数のサーバ機器をその性能情報と共に表示した後に、一のサーバ機器を指定する操作信号を出力することを特徴とする請求項１記載の通信装置。
【請求項４】
前記制御部は、前記コンテンツデータ取得中に、通信中のサーバ機器との通信状態を監視して通信状態が悪化した場合に、他のサーバ機器に変更して前記コンテンツデータを取得しつづけることを特徴とする請求項１記載の通信装置。
【請求項５】
前記制御部は、前記コンテンツデータ取得中に、通信中のサーバ機器との通信状態を監視して通信状態が悪化した場合に、前記表示部に前記コンテンツデータの取得可能な他のサーバ機器を表示し、与えられる操作信号に応じて他のサーバ機器に変更して前記コンテンツデータを取得しつづけることを特徴とする請求項１記載の通信装置。
【請求項６】
前記制御部は、前記コンテンツデータ取得中に、前記通信中のサーバ機器及び他のサーバ機器との通信状態を監視して前記通信中のサーバ機器との通信状態が悪化した場合に、前記通信中のサーバ機器から他のサーバ機器に前記コンテンツデータを移動するべく前記通信中のサーバ機器に命令信号を出力し、前記他のサーバ機器から前記コンテンツデータを取得することを特徴とする請求項１記載の通信装置。
【請求項７】
ネットワークを介した複数のサーバ機器とプレーヤ機器との通信方法であり、
前記プレーヤ機器において、前記ネットワーク上の前記複数のサーバ機器からコンテンツデータのリスト情報を収集し、
前記収集したコンテンツデータのリスト情報を、コンテンツデータを格納する複数のサーバ機器の性能情報と合わせて表示し、
前記コンテンツデータのリスト情報中の一のコンテンツデータと一のサーバ機器を指定する操作信号を出力し、
前記操作信号に応じて、指定されたコンテンツデータを、指定されたサーバ機器から取得することを特徴とする通信方法。
【請求項８】
前記サーバ機器の性能情報は、使用するネットワーク種別、通信状況、現在処理中のタスク、処理予定のタスク、通信性能、ＣＰＵの性能、バッファメモリの容量の中の一以上を含むことを特徴とする請求項７記載の通信方法。
【請求項９】
前記コンテンツデータのリスト情報を表示した後に、一のコンテンツデータを指定する操作信号を出力し、その後、前記指定されたコンテンツデータを格納する複数のサーバ機器をその性能情報と共に表示した後に、一のサーバ機器を指定する操作信号を出力することを特徴とする請求項７記載の通信方法。
【請求項１０】
前記コンテンツデータ取得中に、通信中のサーバ機器との通信状態を監視して通信状態が悪化した場合に、他のサーバ機器に変更して前記コンテンツデータを取得しつづけることを特徴とする請求項７記載の通信方法。
【請求項１１】
前記コンテンツデータ取得中に、通信中のサーバ機器との通信状態を監視して通信状態が悪化した場合に、前記コンテンツデータの取得可能な他のサーバ機器を表示し、与えられる操作信号に応じて他のサーバ機器に変更して前記コンテンツデータを取得しつづけることを特徴とする請求項７記載の通信方法。
【請求項１２】
前記コンテンツデータ取得中に、前記通信中のサーバ機器及び他のサーバ機器との通信状態を監視して前記通信中のサーバ機器との通信状態が悪化した場合に、前記通信中のサーバ機器から他のサーバ機器に前記コンテンツデータを移動するべく前記通信中のサーバ機器に命令信号を出力し、前記他のサーバ機器から前記コンテンツデータを取得することを特徴とする請求項７記載の通信方法。
【発明の詳細な説明】
【技術分野】
【０００１】
この発明は、ネットワークを介して他の通信装置と通信を行う通信装置及び通信方法に関する。
【背景技術】
【０００２】
近年、デジタルネットワーク技術が一般に普及しつつあり、これを利用した通信装置も多く開発されてきている。また、このようなネットワーク通信環境において、ネットワーク上にあるコンテンツを移動させるための技術も知られている。
【０００３】
これに関連して、特許文献１は、複数のサーバからネットワークを介してコンテンツを受け取る技術を開示している。
【特許文献１】特開２００５−５２５６１１公報
【発明の開示】
【発明が解決しようとする課題】
【０００４】
しかし、特許文献１の従来技術は、ユーザに対して複数のサーバの機器情報は表示されることはない。従って、ユーザが複数のサーバから一つのサーバを選択して、最適の通信状況においてコンテンツデータを取得することはできない。
【０００５】
本発明は、複数のサーバから好適なサーバを選択してコンテンツデータを取得することができる通信装置及びその通信方法を提供することを目的とする。
【課題を解決するための手段】
【０００６】
本発明に係る一実施形態は、ネットワーク上の複数のサーバ機器（１００−１，１００−２）からコンテンツデータのリスト情報（図６，図７）を収集する通信部（１１）と、前記通信部が収集したコンテンツデータのリスト情報を、コンテンツデータを格納する複数のサーバ機器の性能情報と合わせて表示する表示部（６）と、前記コンテンツデータのリスト情報中の一のコンテンツデータと一のサーバ機器を指定する操作信号を出力する操作部（７）と、前記操作信号に応じて、指定されたコンテンツデータを、指定されたサーバ機器から前記通信部を介して取得する制御部（２２）を具備することを特徴とする通信装置（２）である。
【発明の効果】
【０００７】
ネットワーク上の最適のサーバを選択して良好な通信状況でコンテンツデータを取得することが可能となる。
【発明を実施するための最良の形態】
【０００８】
以下、この発明の実施の形態について図面を参照して詳細に説明する。  
図１は、本発明の一実施形態に係る通信システムの一例を示すシステム図。図２は、同じくプレーヤの一例を示す外観図。図３は、同じくプレーヤの電気的な構成の一例を示すブロック図。図４は、同じくサーバ機器の電気的な構成の一例を示すブロック図である。
【０００９】
以下では、コンテンツデータを取得する通信装置として例えばコンテンツデータを再生するプレーヤ、コンテンツデータを提供するサーバ装置の例として、ハードディスクレコーダを用いて説明している。
【００１０】
＜本発明の一実施形態に係る通信システム＞
本発明の一実施形態に係る通信システムは、図１に示すように、通信機能とコンテンツ再生機能を有するプレーヤ機器２と、コンテンツ録画再生機能をもつハードディスクレコーダ等のサーバ機器１００−１，１００−２を有している。
【００１１】
（プレーヤ機器の構成・動作）
プレーヤ機器２の構成を図２及び図３を用いて説明する。本実施形態に係るプレーヤ機器２は、例えば無線ＬＡＮ規格８０２．１１ａ、ＵＷＢ（Ultra Wide Band）、Ethernet（登録商標）、Bluetooth（登録商標）等により通信する通信部１１と、ＭＰＥＧ（Moving Picture Experts Group）、ＳＢＣ（Sub Band Codec）、ＭＰ３（MPEG audio Layer-3）等の符号化方式による動画コンテンツデータ又は音声コンテンツデータを再生する再生部１２と、動画コンテンツ等のコンテンツデータを表示する表示部１３と、音声コンテンツデータを再生するスピーカ部１４と、全体の動作及び後述するコンテンツデータ転送等のコンテンツ管理を行なう制御部１５を有している。更に、プレーヤ機器２は、プレーヤ機器の各種操作をユーザに行わせるための一例として十字キーによる操作部７と、動画等のコンテンツデータを表示したり、コンテンツリスト等の操作情報を表示する表示部６を有している。
【００１２】
このプレーヤ機器２は、ユーザによる操作に応じた操作部７から操作信号を制御部１５で受け、制御部１５の制御下において、通信部１１等を介して取得した音楽データや動画データ等のコンテンツデータを再生部１２等でデコードする。そして、液晶画面等の表示部１３にてコンテンツデータである動画等を再生するものである。
【００１３】
（サーバ機器であるハードディスクレコーダの構成・動作）
一方、サーバ機器の一例であるハードディスクレコーダの構成及び動作を以下に説明する。
【００１４】
初めに、図４は、本発明の一実施形態に係るサーバ機器の一例であるハードディスクレコーダの構成の一例を示すブロック図である。図４のハードディスクレコーダ１００は、２種類のディスクドライブ部を有する。まず、ビデオファイルを構築できる情報記録媒体である第１のメディアとしての光ディスクＤを回転駆動し、情報の読み書きを実行する光ディスクドライブ部１１９を有する。又、第２のメディアとしてのハードディスクを駆動するハードディスクドライブ部１１８を有する。制御部１３０は、全体の動作を司るべくデータバスを介して各部に接続されている。
【００１５】
又、図４のハードディスクレコーダ１００は、録画側を構成するエンコーダ部１２１と、再生側を構成するＭＰＥＧデコーダ部１２３と、装置本体の動作を制御する制御部１３０とを主たる構成要素としている。ハードディスクレコーダ１００は、入力側のセレクタ１１６と出力側のセレクタ１７とを有しており、入力側のセレクタ１６には、ＬＡＮ等の通信部１１１と、いわゆる衛星放送（ＢＳ／ＣＳ）チューナ部１１２と、いわゆる地上波チューナ部１１３とが接続され、エンコーダ部１２１に信号を出力する。又、ＢＳ／ＣＳチューナ部１１２には衛星アンテナが、地上波チューナ部１１３には地上波アンテナが接続されている。又、ハードディスクレコーダ１００は、エンコーダ部１２１と、エンコーダ部１２１の出力を受け、データ編集等の所望のデータ処理を行うデータ編集部１２０、データ編集部１２０に接続されるハードディスクドライブ部１１８、光ディスクドライブ部１１９を有している。
【００１６】
更に、ハードディスクレコーダ１００は、ハードディスクドライブ部１１８、光ディスクドライブ部１１９からの信号を受けてデコードするＭＰＥＧデコーダ部１２３と、エンコーダ部１２１、バッファ部１２２、ＭＰＥＧデコーダ部１２３、多重化部１２８、分離部１２９、制御部１３０、予約録画部１４２、後述するプレーヤ機器とコンテンツデータの転送処理、そのためのコンテンツリストや性能情報リストの転送等を管理するコンテンツ管理部１４３を有している。これらの各部は、データバスを介して制御部１３０に接続されている。更に、セレクタ部１１７の出力は、外部の受像機１４１に接続されるか、外部装置との通信を行うインタフェース部１２７を介して、外部装置に供給される。
【００１７】
更に、ハードディスクレコーダ１００は、データバスを介して制御部１３０に接続され、ユーザの操作やリモコンＲの操作を受ける操作部１３２を有している。ここで、リモコンＲは、ハードディスクレコーダ１００の本体に設けられる操作部１３２とほぼ同等の操作を可能とするものであり、ハードディスクドライブ部１１８や光ディスクドライブ部１１９の記録再生指示や、編集指示、又、チューナの操作、予約録画の設定等、各種設定が可能である。
【００１８】
このような構成のハードディスクレコーダ１００において、光ディスクに例を取って、再生処理と記録処理の概要を説明すると、制御部１３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００１９】
又、光ディスクの記録処理は、制御部１３０の制御下において、例えば図示しない入力部を介しセレクタ部１１６を介して供給されたデータは、エンコーダ部１２１に供給され、コード化されて出力される。このコード化出力と制御部１３０の出力に応じて、レーザドライバの駆動電流が光ピックアップに供給され、光ディスクＤの記憶領域に照射することで、記録処理が行われるものである。
【００２０】
更に、ハードディスクレコーダ１００において、予約録画部１４２で設定された予約情報に応じて、ＢＳ／ＣＳチューナ部１１２、地上波チューナ部１１３により番組情報であるコンテンツデータが供給される。そして、このコンテンツデータは、エンコーダ部１２１でエンコード処理された後に、ハードディスクドライブ部１１８又は光ディスクＤへと格納される。これら、格納されたコンテンツデータである動画データは、後述するように、情報受信端末２等のプレーヤ機器によるコンテンツ取得方法によって、通信部１１１からプレーヤ機器へと転送することができる。
【００２１】
（コンテンツデータ取得方法）
次に、本発明の一実施形態であるコンテンツデータ取得方法を図面を用いて詳細に説明する。図５は、プレーヤが表示するコンテンツリストの一例を示す説明図。図６は、プレーヤが表示するサーバ機器毎のコンテンツリストの一例を示す説明図。図７は、プレーヤが表示する複数サーバ機器の性能情報リストの一例を示す説明図。図８は、プレーヤのコンテンツデータ取得処理の一例を示すフローチャート。図９は、プレーヤの通信状況に応じたコンテンツデータ取得処理の一例を示すフローチャート。図１０は、プレーヤの通信状況に応じたコンテンツデータ取得処理の他の一例を示す説明図である。
【００２２】
・コンテンツデータ取得方法
以下に、図９のフローチャートを用いて、プレーヤ機器によるネットワーク上のサーバ機器からのコンテンツデータの取得方法を説明する。なお、以下のフローチャートの各ステップは、回路ブロックに置き換えることができ、従って、各フローチャートのステップは、全てブロックに定義しなおすことが可能である。
【００２３】
又、以下に説明するプレーヤ機器２とサーバ機器１０１−１，１０１−２との間の通信規格は、ＵＰｎＰ（Universal Plug and Play）で定めるホームネットワークのインタフェース規定に準じて行なうことが好適である。
【００２４】
初めにプレーヤ機器２は、予め制御部（コンテンツ管理部）１５により、ネットワーク上の複数のサーバ機器１００−１，１００−２から、コンテンツデータの管理情報であるリスト情報を通信部１１を介して取得しておく。
【００２５】
なお、このリスト情報は、コンテンツデータだけでなく、後述するサーバ装置の広い意味での性能情報（例えば、使用するネットワーク種別、通信状況、現在処理中のタスク、処理予定のタスク、通信性能、ＣＰＵの性能、バッファメモリの容量等）を含むことが望ましい。しかし、この性能情報は、リスト情報とは別のタイミングで各サーバ機器１００−１，１００−２等から取得することでも好適である。
【００２６】
そして、ユーザの操作に応じた操作部７からの操作信号を受けると、制御部１５の働きにより、これらのリスト情報を編集処理して、例えば、図５に示すコンテンツリスト２０１の画面を表示部１３にて表示する（ステップＳ１１）。
【００２７】
ここで、図５のコンテンツリスト２０１は、どのコンテンツデータがどのサーバ機器に格納されているかは示されておらず、プレーヤ機器２が扱えるコンテンツデータのみを、例えばジャンル別（スポーツ等）に分類する等して表示している。
【００２８】
しかし、表示されるコンテンツリストは、図６に示すように、サーバ機器毎のコンテンツリスト２０２であってもよい。図６のコンテンツリスト２０２は、複数のサーバ機器の中からＤＴＶ１とするサーバ機器だけが扱うコンテンツのみを表示するものである。
【００２９】
ここで、図５又は図６に示すサーバ機器によるコンテンツリスト２０１，２０２では、例えば、ユーザが選択したコンテンツ『オリンピック中継』を、ネットワーク上の他のサーバ機器上から検索するかどうかを尋ねる指示アイコン２０４が表示される。ここで、検索することがユーザにより選択されると、このコンテンツ『オリンピック中継』が他のサーバ機器に存在するかどうかが、例えば上述した予め取得されていたコンテンツデータの管理情報であるリスト情報から検索され判断される（ステップＳ１２）。
【００３０】
そして、ここで、予め取得されていたコンテンツデータの管理情報であるリスト情報から、各サーバ装置の広い意味での性能情報（例えば、使用するネットワーク種別、通信状況、現在処理中のタスク、処理予定のタスク、通信性能、ＣＰＵの性能、バッファメモリの容量等）を取得する（ステップＳ１３）。予め取得しておけば、何度も取得する場合と比べ、サーバ装置との通信回数を減らすことができるので好適である。
【００３１】
或いは、このリスト情報からではなく、直接、各サーバ機器１００−１，１００−２に再びアクセスすることで、取得しても良い。この場合、サーバ装置の最新の状況を確認することができる点で好適である。
【００３２】
なお、このサーバ機器の性能情報は、コンテンツ管理部１５の制御下において、図７に示す複数のサーバ機器の性能情報リスト２０３として表示部６等に表示される。図７のサーバ機器の性能情報リスト２０３は、全て、先にユーザの操作で選択されたコンテンツデータ『オリンピック中継』を格納しているサーバ機器の性能情報である。
【００３３】
ここで、この性能情報とは図７に示すように、『使用するネットワーク種別』は、８０２．１１ｇやＵＷＢ，Ethernet（登録商標）等を示し、『通信状況』は、通信速度等を所定値と比較して数段階に評価する等による状況判断が好適である。又、『現在処理中のタスク』だけでなく、予約処理等の『処理予定のタスク』を表示させてユーザの判断の参考とする。更に、『ＣＰＵの性能』や『バッファメモリの容量』を表示させて同様に判断の参考とする。
【００３４】
これ以外にも、サーバ機器の性能情報ではないが、コンテンツデータのプロパティ情報として、ＨＤ、ＳＤ等の画質やそれ以外の情報を参考に、サーバ機器の性能情報リスト２０３中に表示することが好適である。
【００３５】
次に、ユーザは、図７の性能情報リスト２０３を表示部６で参照しながら、最適と思われるサーバ機器を操作部７により一つ選択する（ステップＳ１５）。プレーヤ機器２では、制御部１５の制御によりこの操作信号を受けて、指定されたサーバ機器から指定されたコンテンツデータを通信部１１を用いて取得するべく通信を開始する（ステップＳ１６）。
【００３６】
このような方法により、ユーザの総合的な判断によって最適のネットワーク上のサーバ機器を選択することができるため、状況に応じた確実なサーバ機器からコンテンツデータの転送を行なうことができる。
【００３７】
・サーバ機器変更方法
次に、このようなコンテンツデータの取得処理の途中で通信状況が変化した場合のサーバ機器の変更方法について、図９のフローチャート及び図１０の説明図を用いて以下に詳細に説明する。なお、以下のフローチャートの各ステップは、回路ブロックに置き換えることができ、従って、各フローチャートのステップは、全てブロックに定義しなおすことが可能である。
【００３８】
初めにプレーヤ機器２は、特定のサーバ機器１００−１等とコンテンツデータを受信の際に（ステップＳ２１）、コンテンツ管理部１５にて、プレーヤ機器２とサーバ機器１００−１等との通信状況を監視する（ステップＳ２２）。ここで更に、サーバ機器１００−１と他のサーバ機器１００−２との間の通信状況、又、プレーヤ機器２と他のサーバ機器１００−２との間の通信状況をあわせて監視しておくことも好適である。
【００３９】
コンテンツ管理部１５は、プレーヤ機器２とサーバ機器１００−１との通信状況が、例えばユーザ指定値や７０％等のしきい値と比較して悪化したかどうか判断する（ステップＳ２３）。悪化したと判断したら、同一のコンテンツデータをもつサーバ機器が複数存在するかどうかを判断する（ステップＳ２４）。同一のコンテンツデータをもつサーバ機器は複数存在しなければステップＳ３０へ行き、同一のコンテンツデータをもつサーバ機器は一つでもあるかどうかを判断する（ステップＳ３０）。
【００４０】
ステップＳ３０で同一のコンテンツデータをもつサーバ機器は存在しないと判断すれば、ステップＳ２２に戻り、監視を続行する。ステップＳ３０で同一のコンテンツデータをもつサーバ機器は１台だけ存在すると判断すれば、そのサーバ機器に自動的に切り替えて、コンテンツデータの転送処理を続行する（ステップＳ３１）。
【００４１】
又、ステップＳ２４にて、同一のコンテンツデータをもつサーバ機器が複数存在すると判断されると、コンテンツ管理部１５の動作により、これらのサーバ機器の性能情報リストを表示部６に表示する（ステップＳ２５）。これに応じて、ユーザは、操作部７により指定した任意のサーバ機器を選択する（ステップＳ２６）。
【００４２】
これに応じて、プレーヤ機器２のコンテンツ管理部１５の動作により、指定されたサーバ機器へと、通信相手を変更する（ステップＳ２７）。そして、コンテンツデータの中の最後に受信した位置から、このコンテンツデータを新たなサーバ機器から取得するべく（ステップＳ２８）、コンテンツデータ転送を開始する（ステップＳ２９）。
【００４３】
これにより、通信中に通信状況が悪化した場合も通信状況の良好なサーバ機器に切り替えてコンテンツデータを確実に取得することが可能となる。
【００４４】
・サーバ機器間のコンテンツデータ移動
更に、図１０の説明図に示すように、サーバ機器間のコンテンツデータ移動を含めたサーバ機器の変更処理が有効となる。すなわち、図９のステップＳ２２において、プレーヤ機器２とサーバ機器（ＤＭＳ−１）１００−１との通信状態、プレーヤ機器２とサーバ機器（ＤＭＳ−２）１００−２との通信状態、サーバ機器（ＤＭＳ−１）１００−１とサーバ機器（ＤＭＳ−２）１００−２との通信状態が全て認識できているとする（ステップＳ４１）。
【００４５】
そして、プレーヤ機器２とサーバ機器（ＤＭＳ−１）１００−１との通信状態が悪化しており、プレーヤ機器２とサーバ機器（ＤＭＳ−２）１００−２との通信状態が良好、サーバ機器（ＤＭＳ−１）１００−１とサーバ機器（ＤＭＳ−２）１００−２との通信状態が良好である場合、サーバ機器間のコンテンツデータ移動が好適である。
【００４６】
すなわち、サーバ機器（ＤＭＳ−１）１００−１で、コンテンツデータを時間Ｘまで転送し（ステップＳ４２）、時間Ｘからのコンテンツデータをサーバ機器（ＤＭＳ−１）１００−１からサーバ機器（ＤＭＳ−２）１００−２に移動するべく、プレーヤ機器２からサーバ機器（ＤＭＳ−１）１００−１へ移動命令信号を供給する（ステップＳ４３）。そして、プレーヤ機器２は、サーバ機器（ＤＭＳ−２）１００−２と通信を行なうことで、サーバ機器（ＤＭＳ−２）１００−２から、移動後の時間Ｘからのコンテンツデータを受信する（ステップＳ４４）。
【００４７】
なお、プレーヤ機器でコンテンツデータを受信しながら再生している場合は、これらのステップＳ４１乃至４４の処理は、部分的に同時に行なうことで、コンテンツデータの再生中断を回避することも好適である。
【００４８】
このように、サーバ機器間のコンテンツデータ移動を更に取り入れることで、システムの通信状況に応じた最適なコンテンツデータの取得処理が可能となるものである。
【００４９】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５０】
【図１】本発明の一実施形態に係る通信システムの一例を示すシステム図。
【図２】本発明の一実施形態に係るプレーヤの一例を示す外観図。
【図３】本発明の一実施形態に係るプレーヤの電気的な構成の一例を示すブロック図。
【図４】本発明の一実施形態に係るサーバ機器の電気的な構成の一例を示すブロック図。
【図５】本発明の一実施形態に係るプレーヤが表示するコンテンツリストの一例を示す説明図。
【図６】本発明の一実施形態に係るプレーヤが表示するサーバ機器毎のコンテンツリストの一例を示す説明図。
【図７】本発明の一実施形態に係るプレーヤが表示する複数サーバ機器の性能情報リストの一例を示す説明図。
【図８】本発明の一実施形態に係るプレーヤのコンテンツデータ取得処理の一例を示すフローチャート。
【図９】本発明の一実施形態に係るプレーヤの通信状況に応じたコンテンツデータ取得処理の一例を示すフローチャート。
【図１０】本発明の一実施形態に係るプレーヤの通信状況に応じたコンテンツデータ取得処理の他の一例を示す説明図。
【符号の説明】
【００５１】
１１…通信部、１２…再生部、１３…表示部、１５…制御部（コンテンツ管理部）。
【図１】
2008005236.tif 000003
【図２】
2008005236.tif 000004
【図３】
2008005236.tif 000005
【図４】
2008005236.tif 000006
【図５】
2008005236.tif 000007
【図６】
2008005236.tif 000008
【図７】
2008005236.tif 000009
【図８】
2008005236.tif 000010
【図９】
2008005236.tif 000011
【図１０】
2008005236.tif 000012